(57)【特許請求の範囲】
【請求項１】
少なくとも磁気回路と、この磁気回路を上下動可能に保持するサスペンションと、前記磁気回路の磁気ギャップに挿入されたボイスコイルと、このボイスコイルと接合された振動板とで構成される振動機能付電気音響変換器であって、前記サスペンションは、金属板表面に樹脂またはゴムをコーティングして制動機能を持たせたことを特徴とする振動機能付電気音響変換器。
【請求項２】
金属板表面に樹脂またはゴムをコーティングしたサスペンションに代えて樹脂板の表面に前記樹脂より柔らかい硬度の樹脂またはゴムをコーティングしたサスペンションを用いた請求項１に記載の振動機能付電気音響変換器。
【発明の詳細な説明】
【０００１】
【発明の属する技術分野】
本発明は各種携帯電話機やゲーム機等に使用される振動機能付電気音響変換器に関するものである。
【０００２】
【従来の技術】
振動機能付電気音響変換器は、携帯電話機に取り付けられ、着信を振動で伝達するバイブ機能と、着信をメロディで伝達したり、音声をハンズフリーで再生したりするスピーカ機能の両機能を併せ持った複合デバイスである。
【０００３】
このような従来の振動機能付電気音響変換器について、図４（ａ）、図４（ｂ）により説明する。
【０００４】
図４（ａ）は従来の振動機能付電気音響変換器の平面図、図４（ｂ）は同側断面図である。
【０００５】
同図によると、１０は空気振動を発生する振動板であり、この振動板１０の外周部のエッジ部を介してバッフル６に保持されている。
【０００６】
この振動板１０の中間部にはボイスコイル１が固着されており、その先端部は、磁気回路２の磁気ギャップ２ａに挿入されている。
【０００７】
一方、上記バッフル６の外周部には、フレーム５が装着されており、フレーム５の外縁平坦部には、サスペンション４が溶接固着されている。
【０００８】
サスペンション４は、中央部に磁気回路２や付加ウェイト３を保持し共振周波数で振動できるクリアランスが上下に設けられている。
【０００９】
次に動作について説明すると、振動板１０及びボイスコイル１からなる振動系が振動できるようなある程度高い周波数の信号が、ボイスコイル１に入力されると振動板１０が振動し、一般的な再生音を空中に放射する。一方、上記振動系の共振周波数よりはるかに低い周波数の信号が、ボイスコイル１に入力されれば、上記振動系は共振周波数よりはるかに低い周波数であるので振動せず、音を放射しないが、磁気回路２と付加ウェイト３の質量を合計した重り部分とサスペンション４とからなる可動部の単一共振系の共振周波数と合致した周波数の時、上記重り部分は振動し、周囲に最大振幅の振動を伝達する。
【００１０】
【発明が解決しようとする課題】
しかしながら、上述の振動機能付電気音響変換器は、図４（ｂ）に示すごとく、磁気回路２と付加ウェイト３からなる重り部とサスペンション４とで構成される共振回路はＬＣの単一共振系であり、抵抗分が小さいため、振動特性の共振周波数でのＱが大きく、この共振周波数からボイスコイルに入力された信号が少しずれた場合の振動力はかなり低下してしまうという課題を有するものであった。
【００１１】
本発明は、上記課題を解決するもので、スピーカ部の特性に変化を起こすことなく、また外径寸法の変更や組立工法の大きな変更を伴うことなく、共振周波数のズレによっても振動力に著しい変動がないように、振動力の周波数特性が、よりフラットな振動特性を持つ振動機能付電気音響変換器を提供することを目的とするものである。
【００１２】
【課題を解決するための手段】
上記課題を解決するために、本発明の請求項１に記載のものは、サスペンションに制動機能を持たせたことにより磁気回路側の振動特性のＱを抑制し、共振周波数近傍のＱ特性の平坦化を図り、振動を発生させるための共振周波数の入力がずれても振動特性の著しい減少を抑制することを可能とするとともに、サスペンション自体の金属表面に樹脂またはゴムをコーティングしたものとすることで、きわめて容易に制動機能を有するサスペンションを作製できるものである。
【００１３】
本発明の請求項２に記載のものは、請求項１に記載のサスペンションとして樹脂板の表面に前記樹脂より柔らかい硬度の樹脂またはゴムをコーディングしたサスペンションを用いたものであり、樹脂を主とするサスペンションにおいても制動機能を有するサスペンションの提供を可能とするものである。
【００１４】
【発明の実施の形態】
以下、本発明の振動機能付電気音響変換器の一実施の形態について図１から図３により説明する。なお、説明にあたっては従来技術と同一部分には同一番号を付して説明を簡略化する。
【００１５】
（実施の形態１）
図１は本発明の振動機能付電気音響変換器の一実施形態の振動板とボイスコイルを取り除いた状態の上面図であり、図２は同要部であるサスペンションの側断面図（図１のＢ−Ｂ断面図）であり、図３は振動力特性図であり、主として請求項１および請求項２について説明するものである。
【００１６】
従来技術との相違点についてのみ説明すると、４ａはサスペンションであり、金属板からなるサスペンション本体部４ｂとこのサスペンション本体部４ｂにゴム材をコーティングしてなる制動部４ｃとから形成されている。
【００１７】
図３のａは本実施形態の振動機能付電気音響変換器の振動力特性であり、ｂは従来の振動機能付電気音響変換器の振動力特性を示すが、同図から明らかなようにａの方が特性の先鋭度（Ｑ）が緩やかとなることが確認された。
【００１８】
従って、磁気回路２を含む可動部側を振動させるためのボイスコイル１に加える低周波信号の周波数が可動部側の固有の共振周波数と若干ずれたとしてもこの可動部側の振動特性のＱが従来のものほど先鋭でないので、振動力の低下を僅少に留めることが可能となるものである。
【００１９】
なお、上記実施の形態ではゴム材をコーティングして制動部４ｃを形成したが、ゴム材に代えて樹脂をコーティングしても同様の効果を有することが確認された。
【００２０】
また、前記実施の形態ではサスペンション本体部４ｂを金属板としているが、機能材としても良く、この場合は制動部４ｃをこの樹脂材よりなるサスペンション本体部４ｂより柔らかい硬度の樹脂またはゴムをコーティングして形成しても良いものである。
【００２１】
【発明の効果】
以上のように本発明は構成されるものであり、磁気回路部を含む可動部を振動させるためにボイスコイルに外部から入力される電気信号の周波数が前記可動部とサスペンションからなる部分の共振周波数から若干ずれたとしても振動力の低下を極めて低く抑制することができ、前記電気信号を供給する外部機器の製造上のバラツキや振動機能付電気音響変換器の前記可動部の部品や製造上のバラツキを吸収して安定した振動力を有する振動機能付電気音響変換器の提供を可能とするものである。
【図面の簡単な説明】
【図１】  本発明の振動機能付電気音響変換器の一実施形態の振動板とボイスコイルを取り除いた状態の上面図
【図２】  同要部であるサスペンションの側断面図
【図３】  振動力特性図
【図４】  （ａ）従来の振動機能付電気音響変換器の上面図
（ｂ）同側断面図
【符号の説明】
１  ボイスコイル
２  磁気回路
２ａ  磁気ギャップ
４ａ サスペンション
４ｂ サスペンション本体部
４ｃ 制動部
【図１】
0003918478.tif 000002
【図２】
0003918478.tif 000003
【図３】
0003918478.tif 000004
【図４】
0003918478.tif 000005